(57)【要約】【課題】使用前は筒状部材からの内容物の漏れを防止すると共に、開封時には簡易な動作で筒状部材から内容物の注出を可能とする筒状部材付パウチを提供する。【解決手段】筒状部材付パウチ１は、表面と裏面とを有する袋本体２０に筒状部材１４が内蔵され、筒状部材１４は仕切りシール部２３を介して袋本体２０に取り付けられ、袋本体２０は仕切りシール部２３を介して、内容物収容部２１１を有する第１部分２１と、筒状部材１４の一端１４２側が配置される第２部分２２とに隔離されており、第２部分２２において、筒状部材１４は、袋本体の表面側または裏面側へ向かう折返部１４１を有しており、第２部分２２が密閉された状態で、筒状部材１４の一端１４２が、第２部分２２の裏面フィルム１２に接して当接している。【選択図】図１
2017105500.tif 000002
【特許請求の範囲】
【請求項１】
少なくとも表面と裏面とを有する袋本体に、プラスチックを含む中空の筒状部材が内蔵された筒状部材付パウチであって、
前記筒状部材は、仕切りシール部を介して前記袋本体に取り付けられ、
前記袋本体は、前記仕切りシール部を介して、内容物収容部を有する第１部分と、前記筒状部材の一端が配置される第２部分とに隔離されており、
前記筒状部材は、前記内容物収容部と連通して前記袋本体に取り付けられており、
前記第２部分において、前記筒状部材は、前記袋本体の表面側または裏面側に向かって折り返されており、
前記筒状部材の折返部から一端までの少なくとも一部が、前記袋本体の表面または裏面に当接していることを特徴とする筒状部材付パウチ。
【請求項２】
前記第２部分には、易開封手段が形成されている請求項１に記載の筒状部材付パウチ。
【請求項３】
前記易開封手段が、前記折返部と交差するように形成されている請求項２に記載の筒状部材付パウチ。
【請求項４】
前記易開封手段が、前記折返部と交差しないように形成されている請求項２に記載の筒状部材付パウチ。
【発明の詳細な説明】
【技術分野】
【０００１】
本発明は、流動性を有する内容物を、筒状部材から注出可能な筒状部材付パウチに関する。
【背景技術】
【０００２】
液体状や粉末状の内容物などを収容し、かつ、使用時の内容物の注出を容易にするために、筒状部材が内蔵された筒状部材付パウチが知られている。この筒状部材付パウチは、筒状部材の注出部側から内容物が漏れることを防止することが必要となる。
【０００３】
筒状部材の注出部側からの内容物の漏れを簡便に防止する筒状部材付パウチとして、例えば特許文献１では、筒状部材の注出部側を折返し、その一端を、袋本体部に形成された窪みに係止させることが開示されている。
【先行技術文献】
【特許文献】
【０００４】
【特許文献１】特開２００６−２１３３４６号公報
【発明の概要】
【発明が解決しようとする課題】
【０００５】
特許文献１の筒状部材付パウチは、筒状部材を窪みに係止させるために、筒状部材の折返し方向が、袋本体の窪み部に向かうように、すなわち、筒状部材の折返線が袋本体のシール部と垂直方向になるように折返す必要がある。この場合、折返線が垂直方向になる分だけパウチの表裏の面を離間させる方向にパウチが膨らむため、内容物が収容されていない状態のパウチを積み重ねたときに嵩高になって、スタッキング性の点で課題がある。また、筒状部材の一端を、袋本体のシール部分の厚さのみで係止することになるので、振動などによって係止位置がズレて、係止が外れ易くなり、内容物の漏れ防止が不完全となり易い。
【０００６】
また、筒状部材の折返線が袋本体のシール部と垂直方向になるように折返した場合、上記のようにパウチの表裏の面を離間させる方向にパウチが膨らむため、筒状部材の周囲の袋本体の周縁をシールすることが困難になる。
【０００７】
本発明は、上記の課題を解決することができる筒状部材付パウチを提供することを目的とする。
【課題を解決するための手段】
【０００８】
本発明者らは、上記課題を解決すべく、鋭意検討を行った結果、筒状部材付パウチに内蔵された筒状部材が袋本体の表面側または裏面側へ向かうように折返して、袋本体の表面側または裏面側に当接することで、上記課題を解決できることを見出し、本発明を完成するに至った。より具体的には本発明は以下のものを提供する。
【０００９】
（１）少なくとも表面と裏面とを有する袋本体に、プラスチックを含む中空の筒状部材が内蔵された筒状部材付パウチであって、
前記筒状部材は、仕切りシール部を介して前記袋本体に取り付けられ、
前記袋本体は、前記仕切りシール部を介して、内容物収容部を有する第１部分と、前記筒状部材の一端が配置される第２部分とに隔離されており、
前記筒状部材は、前記内容物収容部と連通して前記袋本体に取り付けられており、
前記第２部分において、前記筒状部材は、前記袋本体の表面側または裏面側に向かって折り返されており、
前記筒状部材の折返部から一端までの少なくとも一部が、前記袋本体の表面または裏面に当接していることを特徴とする筒状部材付パウチ。
【００１０】
（２）前記第２部分には、易開封手段が形成されている（１）に記載の筒状部材付パウチ。
【００１１】
（３）前記易開封手段が、前記折返部と交差するように形成されている（１）または（２）に記載の筒状部材付パウチ。
【００１２】
（４）前記易開封手段が、前記折返部と交差しないように形成されている（１）または（２）に記載の筒状部材付パウチ。
【発明の効果】
【００１３】
本発明によれば、筒状部材の折返部から一端までの少なくとも一部が袋本体の表面または裏面に当接しているため、使用前に筒状部材から内容物が袋本体の第２部分に漏れ出すことを抑制することができる。また、筒状部材は、袋本体の表面側または裏面側に向かって折り返されているため、パウチの表裏の面を離間させる方向にパウチが膨らむことを抑制することができる。このため、内容物が収容されていない状態のパウチを積み重ねたときに嵩高になることを抑制することができ、スタッキング性を向上させることができる。
【図面の簡単な説明】
【００１４】
【図１】本発明の一実施形態である筒状部材付パウチの正面図である。
【図２】図１のＡ−Ａの断面図である。
【図３】本発明の一実施形態における筒状部材の斜視図である。
【図４】図２における筒状部材の変形例を示す断面図である。
【図５】本発明の他の実施形態である筒状部材付パウチの正面図である。
【発明を実施するための形態】
【００１５】
以下、本発明の一例である実施形態を用いて詳細に説明するが、本発明は、以下の実施形態に何ら限定されるものではなく、本発明の目的の範囲内において、適宜変更を加えて実施することができる。
【００１６】
＜筒状部材付パウチの全体構成＞
図１から図３を用いて本実施形態の筒状部材付パウチ１について説明する。図１は筒状部材付パウチ１の正面図であり、図２は図１のＡ−Ａの断面図であり、図３は筒状部材１４の斜視図である。なお、本明細書中においては、内容物が収容されていない状態での筒状部材付パウチ１の説明を行うが、筒状部材付パウチ内に内容物が収容されている状態の包装体も権利範囲に含まれるものである。
【００１７】
図１に示すように、筒状部材付パウチ１は、表面フィルム１１と裏面フィルム１２とを有する袋本体２０と、筒状部材１４とで構成される。そして、表面フィルム１１と裏面フィルム１２とを有する袋本体２０内に、プラスチックを含む中空の筒状部材１４が収容されている。
【００１８】
筒状部材１４は、仕切りシール部２３を介して袋本体２０に全体が収容されるように取り付けられている。また、筒状部材１４は、仕切りシール部２３を介して、内容物収容部２１１を有する第１部分２１から、筒状部材１４の一端１４２が配置される第２部分２２へと連通するように袋本体２０に取り付けられている。
【００１９】
さらに、この実施形態においては、袋本体２０は、底部に底面フィルム１３を備えており、底面フィルム１３は、折返部２１６で半折されて、表面フィルム１１および裏面フィルム１２内に挟まれ、側部シール部２１２および底部シール部２１５において、半折された底面フィルム１３の一方の面が表面フィルム１１とシールされ、他方の面が裏面フィルム１２とシールされることにより、底部ガセット部２１４を形成して、いわゆる底ガセットタイプのスタンディングパウチとなっている。
【００２０】
本発明においては、袋本体２０は底ガセット形状には限らず、三方シールパウチや四方シールパウチなどの平パウチであってもよい。
【００２１】
＜内容物＞
内容物収容部２１１に収容される内容物としては、液体や粒状体や粉体などの流動体が挙げられる。内容物を粒状体や粉体とする場合、筒状部材付パウチの第１部分または第２部分を開封後に、筒状部材付パウチ内に水などの液体を注入し、内容物と液体とを混ぜた後に注出するようにしてもよい。
【００２２】
＜袋本体＞
袋本体２０は、仕切りシール部２３によって、内容物収容部２１１を有する第１部分２１と、筒状部材１４の一端１４２が配置される第２部分２２とに隔離される。
【００２３】
本実施形態の筒状部材付パウチ１は、第２部分２２が第１部分２１の上部端部に設けられた張出部となっているが、本発明においては、張出部は、第１部分の上部中央部や、第１部分の側部や、第１部分の上部コーナー部に設けられていてもよい。あるいは、袋本体２０を矩形状としておき、第２部分２２の不要な部分を切り取ることにより、筒状部材１４を露出させるようにしてもよい。
【００２４】
＜フィルム＞
袋本体２０の第１部分２１と第２部分２２はフィルムで構成される。フィルムは、少なくとも、基材層とシーラント層とを備える積層フィルムとすることができる。基材層を構成する材料としては、ポリエチレンテレフタレート、ナイロン、ポリプロピレンなどを用いることができる。また、シーラント層を構成する材料としては、ポリエチレンやポリプロピレンなどを用いることができる。積層フィルムは、さらに印刷層、支持体、バリア層などが設けられていてもよい。支持体としては、基材層と同様のプラスチックや紙などを用いることができる。バリア層としては、アルミニウム箔などの金属箔や、アルミニウムなどの無機物や酸化珪素や酸化アルミニウムなどの無機酸化物などを用いることができる。
【００２５】
袋本体２０の表面を構成する表面フィルム１１は、一枚のフィルムで構成することができる。すなわち、袋本体２０の第１部分２１と第２部分２２を構成する表面フィルムは、一枚のフィルムで構成することができる。裏面フィルム１２についても同様である。なお、「一枚のフィルムで構成する」とは、フィルムに継ぎ目がないことを意味する。また、表面フィルム１１と裏面フィルム１２とを一枚のフィルムで構成してもよい。また、表面フィルム１１と裏面フィルム１２と底面フィルム１３とを一枚または二枚のフィルムで構成してもよい。
【００２６】
＜袋本体の第１部分＞
第１部分２１は、内容物収容部２１１を有する袋本体２０の一部分である。袋本体２０は、底部シール部２１５で底部がシールされており、側部シール部２１２で側部がシールされており、上部には仕切りシール部２３と、内容物充填前のパウチ状態では未シールである上部シール予定部２１３とが連続して直線状に形成されて第１部分２１を構成しており、内容物の充填後に上部シール予定部２１３を融着することによって、内容物収容部２１１が密封形成される。この第１部分２１には筒状部材１４の他端１４５を含む他端側が収容されている。
【００２７】
内容物収容部２１１の大きさは、内容物に応じて自由に変更することができる。内容物収容部２１１の体積は、３０ｍｌ以上３０００ｍｌ以下とすることができる。
【００２８】
本発明においては、袋本体の第１部分の外縁が封止されることにより内容物収容部が形成されていればよく、外縁の封止は、本実施形態のようにフィルム同士を融着するか、または、フィルムを折り返すことによっても達成することができる。
【００２９】
＜袋本体の第２部分＞
第２部分２２は、未シール部２２２を有する袋本体２０の一部分である。袋本体２０は、仕切りシール部２３と、仕切りシール部２３の上方に形成されるコの字状の張出シール部２２１によって第２部分２２の外縁が密封されるように構成されており、この第２部分２２には筒状部材１４の一端１４２を含む一端側が収容されている。
【００３０】
本発明においては、仕切りシール部によって袋本体の第１部分と第２部分が隔離され、袋本体の第２部分が密閉されている限りにおいて、袋本体の第２部分は未シール部を備えていてもよい。
【００３１】
図１に示すように、袋本体２０の第２部分２２には、筒状部材１４の折返部１４１より下方に第２部分２２の一方の側部から他方の側部に跨って易開封手段である易開封線２２３が形成されている。すなわち、正面視において、易開封手段が筒状部材１４の折返部１４１と交差するように形成されている。易開封手段を筒状部材１４の折返部１４１と交差するように形成した場合、後述するように、第２部分２２を易開封線２２３に沿って切り取った際に、筒状部材１４の折返部１４１から一端１４２までの部分と袋本体２０との当接が解消され、自動的に筒状部材１４の折返部１４１が復元して、筒状部材１４が直線状に戻り易くすることができる。易開封線としては、ハーフカット線などの従来公知の易開封手段を形成することができる。
【００３２】
また、袋本体２０の第２部分２２には、易開封手段に加えてノッチなどの開封開始手段が形成されていてもよい。また、易開封手段は、図１に示すように、正面視において筒状部材と交差するように形成してもよいし、正面視において筒状部材と交差しないように形成してもよい。筒状部材と交差しないように形成した場合、開口縁が筒状部材１４と引っ掛かることなく袋本体２０の第２部分２２を開封することができるため、開封性を向上させることができる。例えば、図５に示すように、袋本体２０ｂの第２部分２２ｂには、筒状部材１４の折返部１４１ｂより上方に第２部分２２の一方の側部から他方の側部に跨って易開封線２２３ｂを形成することができる。なお、図４および図５の変形例において、同一数字の図番については、例えば１１ａを１１と読み替えて、その説明を省略する。
【００３３】
筒状部材と交差しない場合の易開封線は、図５に示すように、筒状部材１４の折返部１４１ｂより上方に易開封線２２３ｂが形成されていることが好ましい。この範囲内であれば、易開封線２２３ｂに沿って開封した際に、第２部分の表面フィルム１１と裏面フィルムとの間隔が開くことにより、筒状部材１４の折返部１４１ｂから一端１４２ｂまでの部分と袋本体２０ｂとの当接が解消され、自動的に筒状部材１４の折返部１４１が復元して、筒状部材１４が直線状に戻りやすくすることができる。
【００３４】
なお、本発明においては、筒状部材に易開封線が形成されていない場合、少なくとも第２部分の上方シール部のシーラント層をイージーピール（弱シール部）としておき、シーラント層を剥離させて筒状部材を露出させる構成としてもよい。イージーピールのシーラント層としては、たとえば、シーラント層を２種類以上の樹脂で構成し、一の樹脂と他の樹脂とを非相溶性とすることにより、イージーピール性を発現させることができる。
【００３５】
＜筒状部材＞
筒状部材１４の一実施形態を図３に示す。この筒状部材１４は中空であり、プラスチックを含み、袋本体に収容された内容物を注出する機能を有する。
【００３６】
筒状部材１４の形状は特に限定されず、図３のような一重構造の筒状部材１４であってもよく、二つの部材で構成され、一方の部材の内径が他方の部材の外径よりも大きい二重構造の筒状部材であってもよい（図示せず）。筒状部材１４を二重構造とした場合、筒状部材１４の長さＬを可変とすることができる。
【００３７】
また、筒状部材１４の一部を蛇腹のような構造としてもよい（図示せず）。筒状部材１４に蛇腹の部分を設けることにより、筒状部材１４の向きを可変とすることができる。蛇腹の部分は、袋本体２０の第２部分２２に含まれるように配置され、折返部１４１が蛇腹の部分に含まれるようにしてもよいし、折返部１４１と一端１４２との間に蛇腹の部分が位置するようにしてもよい。
【００３８】
筒状部材１４は、少なくとも最も外側の面がプラスチックを含む。プラスチックとしては、例えば、ポリエチレン（ＰＥ）やポリプロピレン（ＰＰ）などの熱可塑性樹脂が挙げられる。筒状部材１４は、プラスチック成形体とすることができ、例えば、押出成形法を用いて形成することができる。なお、筒状部材の最も外側の面に含まれるプラスチックは、袋本体２０を構成する積層フィルムのシーラント層と同じ樹脂を用いることが好ましい。例えば、積層フィルムのシーラント層がポリエチレンの場合、筒状部材の最外層を構成する樹脂もポリエチレンとすることが好ましい。
【００３９】
筒状部材１４を構成する樹脂を積層フィルムのシーラント層と同じ樹脂とした場合、筒状部材１４を袋本体２０に取り付けるときに、筒状部材の内面が融着することがある。このようなことを避けるために、筒状部材の外側を構成する樹脂と内側を構成する樹脂を異なる樹脂とし、内側を構成する樹脂の融点を、外側を構成する樹脂の融点よりも高くすることができる。例えば、内側を構成する樹脂を高密度ポリエチレン（ＨＤＰＥ）とし、外側を構成する樹脂を低密度ポリエチレン（ＬＤＰＥ）としてもよいし、内側を構成する樹脂をポリプロピレン（ＰＰ）とし、外側を構成する樹脂をポリエチレン（ＰＥ）としてもよい。
【００４０】
図３に示すように、筒状部材１４の幅Ｗは、長さＬよりも小さい。幅Ｗに対する長さＬは、３倍以上とすることが好ましく、５倍以上とすることがさらに好ましい。筒状部材１４の長さＬは、３ｃｍ以上３０ｃｍ以下とすることができる。また、筒状部材１４は、例えば、円筒形にすることができる。この場合、筒状部材１４の内径Ｄは、例えば、６ｍｍφ以上３２ｍｍφ以下とすることができる。
【００４１】
筒状部材１４の厚さＴは、筒状部材１４が折返すことができる程度の可撓性を有する厚さであって、かつ、第２部分２２を開封することにより、筒状部材１４の折返部１４１が直線状に戻る程度の剛性を有する程度の厚さであれば特に限定はされない。筒状部材１４の厚さＴは、０．０５ｍｍ以上１．５ｍｍ以下とすることができ、好ましくは０．１ｍｍ以上０．５ｍｍ以下とすることができる。
【００４２】
筒状部材１４の仕切りシール部２３から露出している部分の長さＬ１（図示せず）は、詰め替え用途であれば１０ｍｍ以上とすることができ、飲料用途であれば２０ｍｍ以上とすることができる。ここで、露出している部分の長さＬ１とは、筒状部材１４の仕切りシール部２３の上縁から一端１４２までの長さを意味する。
【００４３】
筒状部材１４の仕切りシール部２３に対応する部分は、扁平状に変形されていてもよい。すなわち、図２に示すように、他の部分に比べて、袋本体２０の表面フィルム１１と裏面フィルム１２に対向する部分の内面同士の間隔が狭くなるように、筒状部材が袋本体に取り付けられていてもよい。このことにより、仕切りシール部より上方に内容物が移動することを規制することができる。
【００４４】
筒状部材１４の他端１４５は、内容物収容部２１１内の任意の位置に届くように配置されてもよい。例えば、筒状部材１４の他端１４５を底部ガセット部２１４に至るように配置した場合、内容物を最後まで排出し易くすることができる。また、筒状部材１４の他端１４５は、内容物収容部２１１内に露出しないように配置されていてもよい。このことにより、筒状部材１４の端面から溶出する成分によって内容物を汚染してしまうことを抑制することができる。
【００４５】
筒状部材１４は、仕切りシール部２３から一端１４２までの部分において、表面フィルム１１または裏面フィルム１２に向かって折り返されている。言い換えると、筒状部材１４は、袋本体２０の第２部分２２において折返部１４１を有し、筒状部材１４の折返部１４１から一端１４２までの部分は表面フィルム１１または裏面フィルム１２に向かって折り返されている。さらに、第２部分２２を構成する表面フィルム１１または裏面フィルム１２に筒状部材１４の一部が当接している。たとえば、図２には、筒状部材１４の折返部１４１から一端１４２までの部分が裏面フィルム１２に向かって折り返され、筒状部材１４の一端１４２が裏面フィルム１２と当接する例が示されている。このため、折返部１４１近傍において、筒状部材１４は扁平状となって、筒状部材１４の内面同士が近接または当接する結果、折返部１４１から一端１４２に向かって内容物が侵入することを抑制することができる。また、筒状部材の一部を表面フィルムまたは裏面フィルムに当接させているため、折返部が復元して、筒状部材が直線状に戻り難くすることができる。このことにより、袋本体２０の第２部分２２が密閉された状態において、第２部分２２内に内容物が漏れ出すことを抑制することができる。また、筒状部材の折返線が袋本体のシール部と垂直方向になるように折り返されている場合、折返部は扁平状となっているため、表裏の面を離間させる方向に袋本体の第２部分が膨らむことになる。一方、筒状部材１４の折返部１４１から一端１４２までの部分が表面フィルム１１または裏面フィルム１２に向かって折り返されている場合、筒状部材の折返線が袋本体のシール部と垂直方向になるように折り返されている場合に比べて表裏の面を離間させる方向に袋本体２０の第２部分が膨らむことを抑制することができる。このため、筒状部材付パウチの製造、搬送、充填時におけるスタッキング性を向上させることができる。
【００４６】
図２に示すように、折返部１４１から一端１４２までの距離Ｌ２を１０ｍｍ以上４０ｍｍ以下とすることで、筒状部材１４が折り返された状態を保持し易くすることができる。また、折返部１４１から上方シール部２４の下縁までの距離Ｌ３は距離Ｌ２以下とすることが好ましい。距離Ｌ３を距離Ｌ２以下とすることにより、筒状部材１４が折り返された状態を保持し易くすることができる。
【００４７】
図４は、図２に対応して筒状部材１４の変形例を示した図であり、筒状部材の一端以外を省略した図である。図４に示すように、筒状部材１４ａは、仕切りシール部２３ａから一端１４２ａまでの部分において、仕切りシール部２３ａ側から、複数の折返部である、第１の折返部１４１ａと、第２の折返部１４３ａとを有していてもよい。これにより、第２部分の長さを小さくすることができるため、袋本体のコストダウンを図ることができる。
【００４８】
＜筒状部材付パウチの使用方法＞
本実施形態の筒状部材付パウチ１は、袋本体２０の上部シール予定部２１３から内容物を充填した後に、上部シール予定部２１３を融着することによって、内容物収容部２１１が形成される。そして、図２に示すように、この状態においては、筒状部材１４は、袋本体２０の裏面フィルム１２側へ向かう折返部１４１を有しており、第２部分２２が密閉された状態で、筒状部材１４の一端１４２が、袋本体２０の裏面フィルム１２に当接している。
【００４９】
そして、第２部分２２を易開封線２２３に沿って切り取って、筒状部材１４を露出させた後、筒状部材１４を直線状に戻すことにより、内容物を注出する。
【００５０】
本発明においては、筒状部材の一部を表面フィルムまたは裏面フィルムに当接させているため、折返部が復元して、筒状部材が直線状に戻り難い。このため、使用前に筒状部材から内容物が袋本体の第２部分に漏れ出すことを抑制することができる。また、筒状部材の折返部から一端までの部分が表面フィルムまたは裏面フィルムに向かって折り返されているため、表裏の面を離間させる方向に袋本体の第２部分が膨らむことを抑制することができる。このため、筒状部材付パウチの製造、搬送、充填時におけるスタッキング性を向上させることができる。
【符号の説明】
【００５１】
１      筒状部材付パウチ
１１    表面フィルム
１２    裏面フィルム
１３    底面フィルム
１４    筒状部材
１４１  折返部
１４１ａ  第１の折返部
１４１ｂ  折返部
１４３ａ  第２の折返部
１４２、１４２ａ  一端
１４５  他端
２０、２０ｂ    袋本体
２１    第１部分
２１１  内容物収容部
２１２  側部シール部
２１３  上部シール予定部
２１４  底部ガセット部
２１５  底部シール部
２１６  底部ガセット部の折返部
２２、２２ｂ    第２部分
２２１  張出シール部
２２２  未シール部
２２３、２２３ｂ  易開封線
２３    仕切りシール部
２４    上方シール部
Ｌ      筒状部材の長さ
Ｗ      筒状部材の外径
Ｄ      筒状部材の内径
Ｔ      筒状部材の厚さ
【図１】
2017105500.tif 000003
【図２】
2017105500.tif 000004
【図３】
2017105500.tif 000005
【図４】
2017105500.tif 000006
【図５】
2017105500.tif 000007